(57)【要約】【課題】配線溝の塗装を簡単に行うことができ、配線溝の塗装状態を容易に目視確認することができる建設機械の電子機器取付構造の提供。【解決手段】重量バランスを確保するカウンタウエイト４を備え、このカウンタウエイト４が、上面部４ａに連設して凹んで設けられ、電子機器であるカメラ１２の配線が収容される配線溝４ｂを有する油圧ショベルに装備され、カメラ１２を支持する支持部材１３と、この支持部材１３をカウンタウエイト４の上面部４ａに固定する固定部材とを有するものにあって、配線溝４ｂを、その左右の側壁部４ｂ１，４ｂ２の上端部４ｂ１１，４ｂ２１のそれぞれがカウンタウエイト４の上面部４ａの端部４ａ１，４ａ２の該当するものに接続されるように形成し、上述の固定部材による支持部材１３の固定箇所を、配線溝４ｂの外側に位置するカウンタウエイト４の上面部４ａの部分に設定した構成にしてある。【選択図】図２
2009013634.tif 000002
【特許請求の範囲】
【請求項１】
重量バランスを確保するカウンタウエイトを備え、このカウンタウエイトが、上面部に連設して凹んで設けられ、電子機器の配線が収容される配線溝を有する建設機械に装備され、
上記電子機器を支持する支持部材と、この支持部材を上記カウンタウエイトの上面部に固定する固定部材とを有する建設機械の電子機器取付構造において、
上記配線溝を、その左右の側壁部の上端部のそれぞれが上記カウンタウエイトの上記上面部の端部のそれぞれ該当するものに接続されるように形成し、
上記固定部材による上記支持部材の固定箇所を、上記配線溝の外側に位置する上記カウンタウエイトの上面部の部分に設定したことを特徴とする建設機械の電子機器取付構造。
【請求項２】
上記請求項１記載の発明において、
上記配線溝を、上記上面部とは別体に設けたことを特徴とする建設機械の電子機器取付構造。
【請求項３】
上記請求項１記載の発明において、
上記配線溝と上記上面部とを一体形成したことを特徴とする建設機械の電子機器取付構造。
【請求項４】
上記請求項１記載の発明において、
上記固定部材が、
上記カウンタウエイトの上記上面部の裏面に固定され、雌ねじ部を有する有底のボスと、上記支持部材に形成される穴及び上記上面部に形成される穴に挿通され、上記ボスの上記雌ねじ部に螺合するボルトとから成ることを特徴とする建設機械の電子機器取付構造。
【請求項５】
上記請求項１記載の発明において、
上記固定部材が、
上記カウンタウエイトの上記上面部の裏面にその頭部が固定され、上記上面部に形成した穴からねじ部が上方に突出するとともに、このねじ部が上記支持部材に形成された穴に挿通されるボルトと、上記支持部材の上面に配置され、上記ボルトのねじ部に螺合するナットとから成ることを特徴とする建設機械の電子機器取付構造。
【請求項６】
上記請求項１〜５のいずれか１項記載の発明において、
上記電子機器がカメラから成ることを特徴とする建設機械の電子機器取付構造。
【発明の詳細な説明】
【技術分野】
【０００１】
本発明は、油圧ショベル等の建設機械のカウンタウエイトにカメラ等の電子機器を取り付ける建設機械の電子機器取付構造に関する。
【背景技術】
【０００２】
従来、油圧ショベル等の建設機械のカウンタウエイトに、カメラ等の電子機器を取り付けることが行われている。図７は従来の建設機械の電子機器取付構造の要部を拡大して示した正面断面図、図８は図７に示す従来の建設機械の電子機器取付構造の要部を拡大して示した平面図である。
【０００３】
これらの図７，８に示すように、従来の電子機器取付構造は、重量バランスを確保するカウンタウエイト２１が、その上面部２１ａに連設して凹んで設けられ、カメラ等の電子機器の配線が収納される配線溝２１ｂを有している。例えば図７に示すように、配線溝２１ｂとカウンタウエイト２１の上面部２１ａとは別体に設けられ、配線溝２１ｂの左右の側壁部２１ｂ１，２１ｂ２のそれぞれの上端部２１ｂ１１，２１ｂ２１は、上面部２１ａの裏面に例えば溶接により固定されている。
【０００４】
また、上面部２１ａのそれぞれの端部２１ａ１，２１ａ２は、配線溝２１ｂ内に入り込むように延設形成されており、上面部２１ａの端部２１ａ１と配線溝２１ｂの左方の側壁部２１ｂ１との間に位置する上面部２１ａの裏面に、例えば２つのナット２２を溶接によって固定してあり、また、上面部２１ａの端部２１ａ２と配線溝２１ｂの右方の側壁部２１ｂ２との間に位置する上面部２１ａの裏面にも例えば２つのナット２２を溶接によって固定してある。
【０００５】
カメラ等の電子機器を支持する支持部材２０には、ナット２２に対応する位置に、ボルト２３が挿通される穴２０ａを有するとともに、中央部分に電子機器の配線用の長穴２０ｂを有している。この長穴２０ｂの幅寸法は、例えばカウンタウエイト２１の上面部２１ａの端部２１ａ１，２１ａ２間の寸法と同じ寸法に設定されている。なお、上面部２１ｂのナット２２に対応する位置にもボルト２３が挿通される穴２１ｃが設けられている。
【０００６】
カメラ等の電子機器を支持する支持部材２０は、この支持部材２０に設けられた穴２０ａのそれぞれが、カウンタウエイト２１の上面部２１ａに設けられた穴２１ｃのそれぞれに適合するように、この上面部２１ａ上に載置された状態で、ボルト２３のそれぞれが支持部材２０の穴２０ａ、及びカウンタウエイト２１の上面部２１ａの穴２１ｃに挿入され、対応するナット２２に螺合することによって、カウンタウエイト２１の上面部２１ａに固定されるようになっている。
【０００７】
カウンタウエイト２１の上面部２１ａの下方、すなわちカウンタウエイト２１の内部には、鉄くず、セメント、鉄鉱石、砂などの重量物から成る充填材２４が収容されている。
【０００８】
このように構成した従来技術にあっては、電子機器を支持部材２０及びボルト２３を介してカウンタウエイト２１に取り付けることができるとともに、ナット２２のそれぞれが配線溝２１ｂ内に位置する上面部２１ａの裏面部分に固定されているので、ナット２２部分から雨水等が浸入したとしても配線溝２１ｂによってその雨水等を受けることができ、上面部２１ａの下方、すなわちカウンタウエイト２１の内部への雨水等の浸入を防ぐことができる。
【０００９】
なお、上述した図７，８に示す従来技術とは異なる取付構造ではあるが、建設機械のカウンタウエイトに後方監視カメラや、通信機器、警報装置等の電装品、すなわち電子機器を取り付けた技術が、特許文献１に開示されている。
【特許文献１】特開２００６−１６１３０６公報
【発明の開示】
【発明が解決しようとする課題】
【００１０】
上述した図７，８に示した従来技術は、配線溝２１ｂの塗装に問題がある。この配線溝２１ｂの塗装は、塗装用ノズルを図８に示す支持部材２０の長穴２０ｂから配線溝２１ｂ内に挿入することによって、あるいは塗装用ノズルを図７に示す配線溝２１ｂの正面の開口部から配線溝２１ｂ内に挿入することによって行われるが、配線溝２１ｂ内にナット２２部分が突出していることから、この塗装用ノズルの配線溝２１ｂ内への挿入が難しく、これによって塗装作業が煩雑になり、塗装作業工数が増加しやすい。また、ナット２２部分に遮られることによって塗装状態を目視確認することが困難となり、このために精度の高い配線溝の塗装品質を確保できなくなる懸念もある。
【００１１】
本発明は、上述した従来技術における実状からなされたもので、その目的は、配線溝の塗装を簡単に行うことができ、配線溝の塗装状態を容易に目視確認することができる建設機械の電子機器取付構造を提供することにある。
【課題を解決するための手段】
【００１２】
この目的を達成するために、本発明は、重量バランスを確保するカウンタウエイトを備え、このカウンタウエイトが、上面部に連設して凹んで設けられ、電子機器の配線が収容される配線溝を有する建設機械に装備され、上記電子機器を支持する支持部材と、この支持部材を上記カウンタウエイトの上面部に固定する固定部材とを有する建設機械の電子機器取付構造において、上記配線溝を、その左右の側壁部の上端部のそれぞれが上記カウンタウエイトの上記上面部の端部のそれぞれ該当するものに接続されるように形成し、上記固定部材による上記支持部材の固定箇所を、上記配線溝の外側に位置する上記カウンタウエイトの上面部の部分に設定したことを特徴としている。
【００１３】
このように構成した本発明は、配線溝の左右の側壁部の上端部のそれぞれとカウンタウエイトの上面部の端部のそれぞれ該当するものとを接続したことから、この配線溝の上方を全開状態とすることができる。また、固定部材による支持部材の固定箇所を、配線溝の外側に位置するカウンタウエイトの上面部の部分に設定したことから、配線溝内に固定部材が存在することがない。これらのことから、塗装用ノズルの配線溝内への挿入、及び配線溝内における塗装用ノズルの移動を円滑に行うことができ、塗装作業を簡単に行うことができる。また、配線溝内に固定部材が存在しないことから、塗装状態を容易に目視確認できる。
【００１４】
また本発明は、上記発明において、上記配線溝を、上記上面部とは別体に設けたことを特徴としている。
【００１５】
また本発明は、上記発明において、上記配線溝と上記上面部とを一体形成したことを特徴としている。このように構成した本発明は、配線溝と上面部とが同じ部材から成るので部材数を少なくすることができるとともに、上面部と配線溝とを互いに固定する溶接作業等が不要になる。
【００１６】
また本発明は、上記発明において、上記固定部材が、上記カウンタウエイトの上記上面部の裏面に固定され、雌ねじ部を有する有底のボスと、上記支持部材に形成される穴及び上記上面部に形成される穴に挿通され、上記ボスの上記雌ねじ部に螺合するボルトとから成ることを特徴としている。このように構成した本発明は、有底のボスによって雨水等のカウンタウエイトの内部への浸入を防ぐことができる。
【００１７】
また本発明は、上記発明において、上記固定部材が、上記カウンタウエイトの上記上面部の裏面にその頭部が固定され、上記上面部に形成した穴からねじ部が上方に突出するとともに、このねじ部が上記支持部材に形成された穴に挿通されるボルトと、上記支持部材の上面に配置され、上記ボルトのねじ部に螺合するナットとから成ることを特徴としている。このように構成した本発明は、ボルトの頭部によって雨水等のカウンタウエイトの内部への浸入を防ぐことができる。
【００１８】
また本発明は、上記発明において、上記電子機器がカメラから成ることを特徴としている。
【発明の効果】
【００１９】
本発明は、配線溝を、その左右の側壁部の上端部のそれぞれがカウンタウエイトの上面部の端部のそれぞれ該当するものに接続されるように形成し、固定部材による支持部材の固定箇所を、配線溝の外側に位置するカウンタウエイトの上面部の部分に設定したことから、配線溝の上方を全開させることができ、配線溝内に固定部材を存在させない状態にすることができる。これにより、配線溝の塗装が簡単になり、塗装作業の能率を従来に比べて向上させることができ、また、配線溝の塗装状態を容易に目視確認でき、従来よりも精度の高い配線溝の塗装品質を確保できる。
【発明を実施するための最良の形態】
【００２０】
以下，本発明に係る建設機械の電子機器取付構造を実施するための最良の形態を図に基づいて説明する。
【００２１】
図１は本発明に係る電子機器取付構造が備えられる建設機械の一例として挙げた油圧ショベルを示す側面図である。
【００２２】
この図１に示すように、本発明に係る電子機器取付構造が備えられる建設機械は、例えば油圧ショベルから成っている。この油圧ショベルは、走行体１と、この走行体１上に配置される旋回体２とを備えている。旋回体２の前側位置には運転室３が配置され、後側位置には、重量バランスを確保するカウンタウエイト４が配置されている。また、旋回体３には、掘削作業等を実施するフロント作業機５が取り付けられている。このフロント作業機５は、上下方向の回動可能に旋回体２に取り付けられるブーム６と、このブーム６の先端に上下方向の回動可能に取り付けられるアーム７と、このアーム７の先端に上下方向の回動可能に取り付けられるバケット８と、ブーム６を作動させるブームシリンダ９と、アーム７を作動させるアームシリンダ１０と、バケット８を作動させるバケットシリンダ１１とを含んでいる。また特に、旋回体４上には、電子機器例えば後方監視用のカメラ１２を配置してあり、このカメラ１２は後述する電子機器取付構造の第１実施形態に含まれる支持部材１３に支持されている。
【００２３】
図２は図１に示す油圧ショベルに備えられる電子機器取付構造の第１実施形態の要部を拡大して示した平面図、図３は図２のＡ−Ａ断面に相応する分解断面図である。
【００２４】
これらの図２，３に示すように、この第１実施形態はカウンタウエイト４が、上面部４ａに連設して凹んで設けられ、電子機器すなわち上述のカメラ１２に接続される配線が収容される配線溝４ｂを有している。また、上述のようにカメラ１２を支持する支持部材１３と、この支持部材１３をカウンタウエイト４の上面部４ａに固定する固定部材とを有している。
【００２５】
配線溝４ｂは、その左右の側壁部４ｂ１，４ｂ２のそれぞれの上端部４ｂ１１，４ｂ２１がカウンタウエイト４の上面部４ａの対応する端部４ａ１，４ａ２のそれぞれに接続されるように配置してある。この配線溝４ｂは、例えばカウンタウエイト４の上面部４ａと別体に設けてあり、その左右の側壁部４ｂ１，４ｂ２を溶接によってカウンタウエイト４の上面部４ａの裏面に固定してある。
【００２６】
また、支持部材１３をカウンタウエイト４の上面部４ａに固定する上述した固定部材は、例えばカウンタウエイト４の上面部４ａの裏面に溶接によって固定され、雌ねじ部１４ａを有する有底のボス１４と、支持部材１３に形成される穴１３ａ、及びカウンタウエイト４の上面部４ａに形成される穴４ｃに挿通され、ボス１４の雌ねじ部１４ａのそれぞれに螺合するボルト１５とから成っている。上述したボス１４のそれぞれを上面部４ａの裏面に固定する溶接は、例えばボス１４の全周にわたって実施してある。なお、支持部材１３には、カメラ１２に接続される配線用の穴１３ｂを形成してある。この穴１３ｂの径寸法は、例えば配線溝４ｂの側壁部４ｂ１，４ｂ２間の寸法と同じに設定してある。
【００２７】
このようにボス１４とボルト１５とから成る固定部材による支持部材１３の固定箇所は、配線溝４ｂの外側に位置するカウンタウエイト４の上面部４ａの部分に設定してある。なお、カウンタウエイト４内には、鉄くず、セメント、鉄鉱石、砂などの重量物から成る充填材１６が収容されている。
【００２８】
上述のように構成した電子機器の取付構造の第１実施形態によれば、配線溝４ｂの左右の側壁部４ｂ１，４ｂ２の上端部４ｂ１１，４ｂ２１とカウンタウエイト４の上面部４ａの端部４ａ１，４ａ２の該当するものとを接続したことから、この配線溝４ｂの上方を全開状態とすることができる。また、ボス１４とボルト１５とから成る固定部材による支持部材１３の固定箇所を、配線溝４ｂの外側に位置するカウンタウエイト４の上面部４ａの部分に設定してあることから、配線溝４ｂ内に固定部材が存在することがない。これらのことから、塗装用ノズルの配線溝４ｂ内への挿入、及び配線溝４ｂ内における塗装用ノズルの移動を円滑に行うことができ、塗装作業を簡単に行うことができる。これにより塗装作業の能率を向上させることができる。また、配線溝４ｂ内に固定部材が存在しないことから、塗装作業を容易に目視確認でき、精度の高い配線溝４ｂの塗装品質を確保することができる。
【００２９】
また、固定部材を構成するボス１４のそれぞれが有底に形成されていること、及びボス１４の全周にわたって溶接してこのボス１４を上面部４ａの裏面に固定してあることから、ボス１４部分からの雨水等のカウンタウエイト４の内部への浸入を確実に防ぐことができる。
【００３０】
図４は本発明の第２実施形態の要部を拡大して示した分解正面断面図である。この図４に示す第２実施形態は、カウンタウエイト４の上面部４ａにプレス加工等を施すことにより、配線溝４ｂとカウンタウエイト４の上面部４ａとを一体形成してある。すなわち、配線溝４ｂの左右の側壁部４ｂ１，４ｂ２の上端部４ｂ１１，４ｂ２１と、カウンタウエイト４の上面部４ａの端部４ａ１，４ａ２のそれぞれ該当するものとを連設形成してある。その他の構成は上述した第１実施形態と同等である。
【００３１】
このように構成した第２実施形態も、配線溝４ｂの左右の側壁部４ｂ１，４ｂ２の上端部４ｂ１１，４ｂ２１とカウンタウエイト４の端部４ａ１，４ａ２のそれぞれ該当するものとを連設形成してあることから、また、ボス１４とボルト１５とから成る固定部材による支持部材１３の固定箇所を配線溝４ｂの外側に設定してあることから、第１実施形態と同等の効果が得られる。また特に、配線溝４ｂとカウンタウエイト４の上面部４ａとが同一部材から成るので、部材数を少なくすることができるとともに、上面部４ａと配線溝４ｂとを互いに固定する溶接作業等が不要になり、製作工数を低減できる。
【００３２】
図５は本発明の第３実施形態の要部を拡大して示した平面図、図６は図５のＢ−Ｂ断面に相応する分解断面図である。
【００３３】
この第３実施形態は、カメラ１２を支持する支持部材１３をカウンタウエイト４の上面部４ａに固定する固定部材が、カウンタウエイト４の上面部４ａの裏面にその頭部１５ａが溶接固定され、上面部４ａに形成した穴４ｃからねじ部１５ｂが上方に突出するとともに、このねじ部１５ｂが支持部材１３に形成された穴１３ａに挿通されるボルト１５と、支持部材１３の上面に配置され、ボルト１５のねじ部１５ｂに螺合するナット１７とから成る構成にしてある。なお、ボルト１５の頭部１５ａは、全周にわたる溶接によりカウンタウエイト４の上面部４ａの裏面に固定してある。
【００３４】
また、支持部材１３にカメラ１２に接続される配線用の穴１３ｂを形成してある。この穴１３ｂの径寸法は、例えば配線溝４ｂの側壁部４ｂ１，４ｂ２間の寸法と同じ寸法に設定してある。その他の構成は上述した第１実施形態と同等である。
【００３５】
このように構成した第３実施形態も、第１実施形態と同等の効果が得られる。なお、塗装用ノズルを支持部材１３の穴１３ｂから挿入して配線溝４ｂ内を塗装することもできる。また、固定部材を構成するボルト１５の頭部１５ａの全周にわたる溶接によって、このボルト１５を上面部４ａに固定してあることから、ボルト１５部分からの雨水等のカウンタウエイト４の内部への浸入を確実に防ぐことができる。
【００３６】
なお、この第３実施形態では、ボルト１５の頭部１５ａの全周にわたって溶接してこのボルト１５を上面部４ａの裏面に固定してあるが、本発明は、このように構成することには限られない。例えばボルト１５の頭部１５ａとカウンタウエイト４の上面部４ａの裏面との間にコーティング材を介在させ、溶接は例えば対向する２箇所程度に抑えた構成とすることもできる。このように構成したものも、ボルト１５部分からの雨水等のカウンタウエイト４の内部への浸入を防ぐことができる。
【図面の簡単な説明】
【００３７】
【図１】本発明に係る電子機器取付構造が備えられる建設機械の一例として挙げた油圧ショベルを示す側面図である。
【図２】図１に示す油圧ショベルに備えられる電子機器取付構造の第１実施形態の要部を拡大して示した平面図である。
【図３】図２のＡ−Ａ断面に相応する分解断面図である。
【図４】本発明の第２実施形態の要部を拡大して示した分解正面断面図である。
【図５】本発明の第３実施形態の要部を拡大して示した平面図である。
【図６】図５のＢ−Ｂ断面に相応する分解断面図である。
【図７】従来の建設機械の電子機器取付構造の要部を拡大して示した正面断面図である。
【図８】図７に示す従来の建設機械の電子機器取付構造の要部を拡大して示した平面図である。
【符号の説明】
【００３８】
２    旋回体
４    カウンタウエイト
４ａ  上面部
４ａ１  端部
４ａ２  端部
４ｂ  配線溝
４ｂ１  側壁部
４ｂ１１  上端部
４ｂ２  側壁部
４ｂ２１  上端部
４ｃ  穴
１２  カメラ（電子機器）
１３  支持部材
１３ａ  穴
１３ｂ  穴
１４  ボス（固定部材）
１４ａ  雌ねじ部
１５  ボルト（固定部材）
１５ａ  頭部
１５ｂ  ねじ部
１６  充填材
１７  ナット（固定部材）
【図１】
2009013634.tif 000003
【図２】
2009013634.tif 000004
【図３】
2009013634.tif 000005
【図４】
2009013634.tif 000006
【図５】
2009013634.tif 000007
【図６】
2009013634.tif 000008
【図７】
2009013634.tif 000009
【図８】
2009013634.tif 000010